(57)【要約】【課題】  カード状の媒体の搬送方向を急な角度で変更しても確実に処理することができる媒体処理装置を提供する。【解決手段】  カード状の媒体２を第１の方向に搬送する第１の搬送部２１０と、媒体２を第１の方向と交差する第２の方向に搬送する第２の搬送部２２０と、第１の搬送部２１０と第２の搬送部２２０との間の交差する部分に配設され、媒体２を第１の搬送部２１０から第２の搬送部２２０に受け渡す際に、当該受け渡しの角度を規制する第１の搬送補助部材４１１と、第１の搬送部２１０と第２の搬送部２２０との間の交差する部分に配設され、媒体２を第２の搬送部２２０から第１の搬送部２１０に受け渡す際に、当該受け渡しの角度を規制する第２の搬送補助部材４１２とを備える媒体処理装置。【選択図】  図１
2006103913.tif 000002
【特許請求の範囲】
【請求項１】
カード状の媒体を第１の方向に搬送する第１の搬送部と；
前記媒体を前記第１の方向と交差する第２の方向に搬送する第２の搬送部と；
前記第１の搬送部と前記第２の搬送部との間の前記交差する部分に配設され、前記媒体を前記第１の搬送部から前記第２の搬送部に受け渡す際に、当該受け渡しの角度を規制する第１の搬送補助部材と；
前記第１の搬送部と前記第２の搬送部との間の前記交差する部分に配設され、前記媒体を前記第２の搬送部から前記第１の搬送部に受け渡す際に、当該受け渡しの角度を規制する第２の搬送補助部材とを備える；
媒体処理装置。
【請求項２】
前記媒体を前記第１の方向に対して略平行な第３の方向に搬送する第３の搬送部を備え；
前記第２の搬送補助部材は、前記第１の搬送補助部材とは別の部材であり；
前記媒体を前記第１の搬送部から前記第３の搬送部に受け渡す際又は前記第３の搬送部から前記第１の搬送部に受け渡す際に、前記媒体を前記第１の搬送補助部材と前記第２の搬送補助部材との間を通して受け渡すように構成される、
請求項１に記載の媒体処理装置。
【請求項３】
第１の搬送補助部材と第２の搬送補助部材とは、入れ子状に形成される；
請求項１又は請求項２に記載の媒体処理装置。
【発明の詳細な説明】
【技術分野】
【０００１】
本発明は、媒体処理装置に関し、特にカード状の媒体の搬送方向を急な角度で変更しても確実に処理することができる媒体処理装置に関する。
【背景技術】
【０００２】
従来の媒体処理装置としては、カード状の媒体、例えばプリペイドカード（代金前払カード）等といった媒体に残金等の情報を記録するカード処理装置があった。このようなカード処理装置は、例えば自動改札装置や自動精算機に内蔵され、プリペイドカードに残金の情報を穿孔や印刷により記録できるものがあった。また、このようなカード処理装置には、種類の異なるカードを処理することができるものがあった。（例えば、特許文献１参照。）。
【特許文献１】特開平７−３３４７１４号公報  （第３−５頁、第１−２図）
【発明の開示】
【発明が解決しようとする課題】
【０００３】
しかしながら、以上のような従来のカード処理装置では、例えば、処理するカードの種類の増加に対応しつつ装置の大型化を避けるために、カード状の媒体を挟持して搬送する搬送部の搬送レイアウトをコンパクトなものにしたいという要請があった。このように搬送レイアウトをコンパクトにする場合、例えば、カード状の媒体の搬送方向を急な角度で変更することがあるが、急な角度で搬送方向を変更すると、例えばカード状の媒体が折れ曲がってしまう等により、カード状の媒体を確実に処理できないことがあった。
【０００４】
そこで、本発明は、カード状の媒体の搬送方向を急な角度で変更しても確実に処理することができる媒体処理装置を提供することを目的とする。
【課題を解決するための手段】
【０００５】
上記目的を達成するために、請求項１に係る発明による媒体処理装置は、例えば図１に示すように、カード状の媒体２を第１の方向に搬送する第１の搬送部２１０と；媒体２を第１の方向と交差する第２の方向に搬送する第２の搬送部２２０と；第１の搬送部２１０と第２の搬送部２２０との間の交差する部分に配設され、媒体２を第１の搬送部２１０から第２の搬送部２２０に受け渡す際に、当該受け渡しの角度を規制する第１の搬送補助部材４１１と；第１の搬送部２１０と第２の搬送部２２０との間の交差する部分に配設され、媒体２を第２の搬送部２２０から第１の搬送部２１０に受け渡す際に、当該受け渡しの角度を規制する第２の搬送補助部材４１２と；を備えるように構成される。
【０００６】
このように構成すると、第１の搬送部は、第１の方向にカード状の媒体を搬送し、第２の搬送部は、第１の方向と交差する第２の方向にカード状の媒体を搬送する。第１の搬送補助部材は、媒体を第１の搬送部から第２の搬送部に受け渡す際に、当該受け渡しの角度を規制し、第２の搬送補助部材は、媒体を第２の搬送部から第１の搬送部に受け渡す際に、当該受け渡しの角度を規制するので、カード状の媒体の搬送方向を変更しても確実に処理することができる媒体処理装置を提供することができる。
【０００７】
また請求項２に記載のように、請求項１に記載の媒体処理装置では、例えば図１に示すように、媒体２を第１の方向に対して略平行な第３の方向に搬送する第３の搬送部２３０を備え；第２の搬送補助部材４１２は、第１の搬送補助部材４１１とは別の部材であり；媒体２を第１の搬送部２１０から第３の搬送部２３０に受け渡す際又は第３の搬送部２３０から第１の搬送部２１０に受け渡す際に、媒体２を第１の搬送補助部材４１１と第２の搬送補助部材４１２との間を通して受け渡すように構成してもよい。
【０００８】
このように構成すると、第３の搬送部は、第１の方向に対して略平行な第３の方向にカード状の媒体を搬送する。さらに、第１の搬送補助部材と第２の搬送補助部材とによって、第１の搬送部によって搬送される媒体を第２の搬送部あるいは第３の搬送部に振り分けることができる。
【０００９】
また請求項３に記載のように、請求項１又は請求項２に記載の媒体処理装置では、例えば図２（ｃ）に示すように、第１の搬送補助部材４１１と第２の搬送補助部材４１２とは、入れ子状に形成してもよい。
【００１０】
このように構成すると、第１の搬送補助部材４１１と第２の搬送補助部材４１２とが、入れ子状に形成されるので媒体処理装置を小型化することができる。
【発明の効果】
【００１１】
以上のように本発明によれば、カード状の媒体を第１の方向に搬送する第１の搬送部と、媒体を第１の方向と交差する第２の方向に搬送する第２の搬送部と、第１の搬送部と第２の搬送部との間の交差する部分に配設され、媒体を第１の搬送部から第２の搬送部に受け渡す際に、当該受け渡しの角度を規制する第１の搬送補助部材と、第１の搬送部と第２の搬送部との間の交差する部分に配設され、媒体を第２の搬送部から第１の搬送部に受け渡す際に、当該受け渡しの角度を規制する第２の搬送補助部材とを備えるので、カード状の媒体の搬送方向を変更しても確実に処理することができる媒体処理装置を提供することができる。
【発明を実施するための最良の形態】
【００１２】
以下、本発明の実施の形態について、図１から図３を参照して説明する。なお、各図において互いに同一あるいは相当する部材には同一符号を付し、重複した説明は省略する。
【００１３】
図１は、本発明の実施の形態に係る媒体処理装置としてのカード処理装置１の構成例を示す模式的断面図である。カード処理装置１は、取引装置、例えば駅に設置される自動精算機（自動券売機を含む）に内蔵され、カード状の媒体を処理する装置である。このような自動精算機は、乗車券等を精算するものである。なお、自動精算機は、本実施の形態に係るカード処理装置１、硬貨を処理する硬貨処理装置（不図示）、紙幣を処理する紙幣処理装置（不図示）、券類を発券する発券装置（不図示）等を備え、さらに利用者の操作を受け付ける接客部（不図示）を備える。カード処理装置１は、自動精算機に内蔵される際には、例えば利用者が、自動精算機の正面に形成された接客部（不図示）から、後述の挿入部２０にカード状の媒体を挿入できる位置に内蔵される。なお、本図中太線はカード状の媒体の搬送経路を示している。
【００１４】
ここでカード状の媒体は、例えば、メダルや硬貨等の略円形状の媒体とは異なる略四角形状の媒体であり、典型的には、略長方形板状の媒体である。カード状の媒体は、弾性を有する軟らかい媒体でもよいし、剛性を有する硬い媒体でもよい。カード状の媒体には、例えば、乗車券や回数券等のエドモンソン券、大型券、定期券やプリペードカード等のＰＥＴ券、ＩＣカードがある。
【００１５】
エドモンソン券の寸法は、縦５７．５ｍｍ、横３０ｍｍ、厚さ０．１９ｍｍ程度である。大型券の寸法は、縦８５ｍｍ、横５７．５ｍｍ、厚さ０．１９ｍｍ程度である。ＰＥＴ券の寸法は、縦８５ｍｍ、横５７．５ｍｍ、厚さ０．２２ｍｍである。ＩＣカードの寸法は、縦８５．６ｍｍ，横５３．９８ｍｍ、厚さ０．７６ｍｍ程度である。
【００１６】
乗車券、大型券は、紙状のカード媒体であり、表面が感熱紙になっており、サーマルヘッド（不図示）により、表面に印刷情報を印刷できるものである。また、乗車券、大型券は、裏面に磁気情報の書き込みが可能な媒体である。ＰＥＴ券は、プラスティックのカード媒体であり、例えば、定期券や裏面に磁気記録層が形成され、さらに磁気記録層の上に感熱紙層が形成されたいわゆるプリペイドカードである。プリペイドカードは、その裏面に磁気ヘッド（不図示）によりカードの情報としての磁気情報が記録でき、さらにサーマルヘッド（不図示）により印字可能な媒体である。ＩＣカードは、剛性を有するカード媒体であり、内部にＣＰＵやＲＡＭ、ＲＯＭ等のメモリが格納されており、当該メモリにカード情報を記憶している。ＩＣカードは、カード情報の書換えを電磁波を用いて行うことが可能であるため、非接触式カードと呼ばれている。なお、ＩＣカードは、規格としてＩＳＯ１４４４３（ＪＩＳ  Ｘ６３２２）が定められている。
【００１７】
本実施の形態では、カード状の媒体にはエドモンソン券、大型券、ＰＥＴ券、ＩＣカードがあるものとして説明する。なお、以下の説明では、エドモンソン券、大型券、ＰＥＴ券、ＩＣカードを特に分けて説明する必要のない場合には、これらをまとめて単にカード２という。
【００１８】
また、カード処理装置１は、例えば利用者により挿入されるカード２の受付処理、利用者の購入操作等によるカード２の残金の更新を行なうカードの更新処理が行なえるものである。また、カード処理装置１は、カード２の受付処理で、カード２を１枚ずつ挿入することで、エドモンソン券、大型券合わせて最大３枚、ＰＥＴ券は最大４枚、ＩＣカードは最大２枚まで受付可能である。エドモンソン券、大型券、ＰＥＴ券が組み合わせて挿入された場合は、エドモンソン券、大型券、ＰＥＴ券合わせて最大５枚、かつ５枚の内エドモンソン券、大型券が最大３枚又はＰＥＴ券が最大３枚まで受付可能である。
【００１９】
カード処理装置１は、利用者からのカード２の挿入を受け付け、また処理されたカード２の返却を行う挿入部２０と、挿入部２０から挿入されたカード２を整列させる整列部３０と、挿入されたカード２の磁気情報に関する各種処理を行うエンコード部５０と、カード２、ここではプリペードカードの利用目安となる位置に穴を開ける処理を行うカードパンチ部６０と、カード２に利用情報の印字を行う印字部７０と、カード２、ここではエドモンソン券である回数券が再度使用できないように穴を開ける処理を行う回数券パンチ部８０と、廃券処理したエドモンソン券、大型券を回収・保管する廃券回収部９０と、挿入されたＩＣカードのメモリに記憶されているカード情報の読み込み、書き込み等のカード情報に関する各種処理を行うアンテナ部１１０とを備える。
【００２０】
カード処理装置１は、さらに処理の終わったＰＥＴ券、ＩＣカードをストッパー部１３０と協動して集積する集積部１４０と、挿入部２０で取り忘れられたカード２を回収・保管する取忘回収部１５０と、挿入部２０より受け付けたカード２をカード処理装置１内の各部に搬送する搬送装置２００と、搬送装置２００により搬送されるカード２を保留する保留部３００と、上記各構成を制御し、カード処理装置１の全体を制御する制御部１６０とを備えている。なおここでは、搬送装置２００は、その搬送経路を図中太線で示している。
以下、上記各構成について詳細に説明する。
【００２１】
まず、搬送装置２００は、複数の搬送ローラ、プーリ、複数の搬送ベルト等を備え、正逆両方向にカード２を搬送するように構成される。搬送装置２００は、カード２を第１の方向に搬送する第１の搬送部としての第１の搬送路２１０、カード２を当該第１の方向と交差する第２の方向に搬送する第２の搬送部としての第２の搬送路２２０、カード２を当該第１の方向に対して略平行な第３の方向に搬送する第３の搬送部としての第３の搬送路２３０を含んで構成されている。搬送装置２００は、典型的には、さらに第４の搬送路２４０、第５の搬送路２５０、第６の搬送路２６０、第７の搬送路２７０を含んで構成されている。
【００２２】
第１の搬送路２１０、第２の搬送路２２０、第３の搬送路２３０、第５の搬送路２５０、第６の搬送路２６０、第７の搬送路２７０は、各々カード２を搬送するための複数の搬送ローラと、複数のプーリに張架された複数の搬送ベルトを含んで構成されている。これらの搬送路は、典型的には、対向して配設される２つの搬送ベルトにカード２を挟持して搬送するように構成されているが、部分的に次に説明する第４の搬送路２４０のように搬送ローラと搬送ローラに対向して配置される従動ローラによりカード２を挟持して搬送するようにも構成されている。さらに言えば、第１の搬送路２１０は駆動機２８１（例えばステッピングモータ）、第２の搬送路２２０は第４の搬送路２４０と共通の駆動機２８２、第３の搬送路２３０は駆動機２８３、第５の搬送路２５０は駆動機２８５、第６の搬送路２６０は駆動機２８６、第７の搬送路２７０は駆動機２８７により、前記ローラ及び前記プーリを介して前記搬送ベルトを駆動することで、カードを挟持して搬送するように構成される。
【００２３】
ただし、第４の搬送路２４０は、カード２を搬送する複数の搬送ローラと当該搬送ローラを駆動する複数のプーリを含んで構成される。第４の搬送路２４０は、搬送ローラと搬送ローラに対向して配置される従動ローラによりカード２を挟持して搬送するものである。従動ローラは、搬送ローラに付勢されて取り付けられている。第４の搬送路２４０は、搬送ローラと従動ローラとでカード２を挟持して搬送することで、上述した搬送路と比較して、搬送の精度を向上させることができる。第４の搬送路２４０は、ベルト等を介して第２の搬送路２２０と共通の駆動機２８２により駆動する。このように、複数の搬送路の駆動源を共通のものとすることでカード処理装置１の小型化を図ることができる。
【００２４】
なおここで、第４の搬送路２４０を他の搬送路と別の構成としたのは、例えばカード処理装置１の小型化のためである。例えば、後述するカードパンチ部６０を他の搬送路、典型的には、後述するように第２の搬送路２２０と、第４の搬送路２４０との境界に配置することができるので、各構成を効率良く配置でき、小型化が可能になる。また、後述する印字部７０のようにカード２に直接接触して各種処理を行うような場合にも、第４の搬送路２４０のような構成であれば、例えば搬送ベルト等に邪魔されずに精度よく印字等ができる。
【００２５】
第１の搬送路２１０は、挿入部２０のカード２が挿入される側とは反対側に配設されている。第１の搬送路２１０は、上述したように、カード２を第１の方向に搬送するように構成されている。ここで、第１の方向とは略水平方向である。すなわち、第１の搬送路２１０は、挿入部２０から略水平方向に配設されている。さらに具体的には、第１の搬送路２１０は、第１の搬送路２１０を構成し、カード２を挟持する２つの搬送ベルト２１１、２１２（図３参照）のカード２を挟持する面が挿入部２０から略水平方向に配設されている。第１の搬送路２１０は、挿入部２０に挿入されたカード２を、挿入部２０とは反対側に配設される第２の搬送路２２０又は第３の搬送路２３０に搬送するように構成される。さらに、第１の搬送路２１０は、第２の搬送路２２０又は第３の搬送路２３０より搬送されるカード２を受け取り、挿入部２０へ搬送するものでもある。
【００２６】
第２の搬送路２２０は、上述したように、第１の方向、すなわち、第１の搬送路２１０による搬送方向と交差する第２の方向にカード２を搬送するように構成されている。ここで、第２の方向とは、典型的には、第１の搬送路２１０に対して傾斜を有した方向であり、さらに詳細には第１の搬送路２１０に対して鉛直上方向で挿入部２０から離れる方向である。第２の搬送路２２０は、第２の搬送路２２０を構成し、カード２を挟持する２つの搬送ベルト２２１、２２２（図３参照）のカード２を挟持する面が、第１の方向と交差する第２の方向と平行となるように配設される。ここで、第２の方向は、第１の方向に対して、例えば５０度以上、好ましくは６０度以上、すなわち、急な角度で傾斜させるとよい。第２の方向の第１の方向に対する傾斜角度は、０度に近い程、より円滑な搬送が可能となるものの、以上のように急な角度とすることで、カード２の搬送レイアウトをコンパクトにすることができ、カード処理装置１の小型化に資することができる。言い換えれば、後述する挿入部２０を正面とするとカード処理装置１内の背面側のスペースを広く確保することができ、当該スペースにカード処理装置１を構成する種々の要素を配設することができるので、装置の大型化を避けることができる。本実施の形態では、上位装置、例えば自動精算機の正面に形成され、利用者の操作を受け付ける接客面（不図示）の傾斜角度（６０度程度）に合わせて、第２の方向は第１の方向に対して６０度で傾斜させている。このように構成することで、上位装置とカード処理装置１との間のデッドスペースを最小限にすることができる。また、第２の方向は、第１の方向に対して、例えば９０度以下、好ましくは８０度以下で傾斜させるとよい。これにより、搬送方向が変わる部分でカード２が詰まってしまうようなことが無くなる。
【００２７】
さらに、第２の搬送路２２０は、第１の搬送路２１０によって搬送されるカード２を受け取り、第１の搬送路２１０とは反対側に配設される第４の搬送路２４０又は第６の搬送路２６０に搬送するように構成される。第２の搬送路２２０は、第４の搬送路２４０又は第６の搬送路２６０より搬送されるカード２を受け取り、第１の搬送路２１０へ搬送するものでもある。なお、第２の搬送路２２０には、後述するエンコード部５０が配設されている。
【００２８】
第３の搬送路２３０は、上述したように、第１の方向、すなわち、第１の搬送路２１０による搬送方向に対して略平行な第３の方向にカード２を搬送するように構成されている。ここで、第３の方向は、第１の方向と同じ方向であり、典型的には、第３の搬送路２３０は、第１の搬送路２１０による搬送方向と略一直線になる方向にカード２を搬送するように構成される。このように、略一直線とする場合も略平行の概念に含まれるものとする。また、略一直線とは、実質的に一直線であればよく、剛性を有するＩＣカードを確実に搬送できる程度に一直線となっていればよい。さらに、第３の搬送路２３０は、第３の搬送路２３０を構成し、カード２を挟持する２つの搬送ベルト２３１、２３２（図３参照）のカード２を挟持する面が第３の方向と平行となるように配設される。さらに具体的に言えば、第３の搬送路２３０は、当該挟持する面が第１の搬送路２１０の２つの搬送ベルト２１１、２１２（図３参照）のカード２を挟持する面と挿入部２０の反対側で略一直線となるように配設される。
【００２９】
さらに、第３の搬送路２３０は、第１の搬送路２１０によって搬送されるカード２を受け取り、第１の搬送路２１０とは反対側に配設される後述の第９の保留部３９０に搬送するように構成される。なお、第３の搬送路２３０には、第１の搬送路２１０と第９の保留部３９０との間に後述するアンテナ部１１０が配設されている。さらに、第３の搬送路２３０は、アンテナ部１１０により処理されたカード２を第１の搬送路２１０へ搬送するものでもある。
【００３０】
第４の搬送路２４０は、第２の方向、典型的には、第２の方向と略一直線になる方向にカード２を搬送するように構成される。第４の搬送路２４０は、上述したように他の搬送路とは異なった構成となっている。第４の搬送路２４０は、第２の搬送路２２０によって搬送されるカード２を受け取り、第２の搬送路２２０とは反対側に配設される第５の搬送路２５０に搬送するように構成される。さらに、第４の搬送路２４０は、第５の搬送路２５０より搬送されるカード２を受け取り、第２の搬送路２２０へ搬送するものでもある。なお、第４の搬送路２４０には、第２の搬送路２２０側から順に後述するカードパンチ部６０、印字部７０が配設されている。
【００３１】
第５の搬送路２５０は、第２の方向と交差する方向、典型的には、搬送方向が略水平方向で挿入部２０から離れる方向にカード２を搬送するように構成される。第５の搬送路２５０は、第４の搬送路２４０によって搬送されるカード２を受け取り、第４の搬送路２４０とは反対側に配設される後述の第１の保留部３１０に搬送するように構成される。さらに、第５の搬送路２５０は、第１の保留部３１０により保留されたカード２を第４の搬送路２４０へ搬送するものでもある。
【００３２】
第６の搬送路２６０は、第２の方向と交差する方向で挿入部２０から離れる方向にカード２を搬送するように構成される。第６の搬送路２６０は、複数の折れ曲がりを有しており、第２の搬送路２２０によって搬送されるカード２を受け取り、第２の搬送路２２０とは反対側に配設され、典型的には挿入部２０を正面とするとカード処理装置１内の背面側に配設される後述の廃券回収部９０に搬送するように構成される。さらに、第６の搬送路２６０は、例えば、後述の第４の保留部３４０に保留されるカード２を第２の搬送路２２０又は次に説明する第７の搬送路２７０に搬送するものでもある。
【００３３】
第７の搬送路２７０は、第６の搬送路２６０の中間から分岐するように配設され、第６の搬送路２６０による搬送方向と交差する方向、典型的には、第６の搬送路２６０に対して傾斜を有した方向であり、さらに詳細には第６の搬送路２６０に対して鉛直下方向で挿入部２０に近づく方向にカード２を搬送するように構成される。第７の搬送路２７０は、第６の搬送路２６０によって搬送されるカード２を受け取り、第６の搬送路２６０とは反対側に配設される後述の第７の保留部３７０に搬送するように構成される。さらに、第７の搬送路２７０は、第７の保留部３７０により保留されたカード２を第６の搬送路２６０へ搬送するものでもある。なお、第７の搬送路２７０には、第６の搬送路２６０と第７の保留部３７０との間、より具体的には後述の第３の振分部４３０と第７の保留部３７０との間に後述する回数券パンチ部８０が配設されている。
【００３４】
また、搬送装置２００は、カード２の搬送経路を切り換え可能な第１の振分部４１０、第２の振分部４２０、第３の振分部４３０を備えている。第１の振分部４１０、第２の振分部４２０、第３の振分部４３０は、それぞれカード２を振り分ける振分爪と、制御部１６０に制御され振分爪を駆動する振分爪駆動手段（例えば、ソレノイド）とを有している。第１の振分部４１０は、上述した第１の方向と第２の方向とが交差する部分、すなわち、第１の搬送路２１０と第２の搬送路２２０との間の交差する部分に配設される。また、第１の振分部４１０は、第１の搬送路２１０と第３の搬送路２３０との間の部分に配設されるということもできる。すなわち、第１の振分部４１０は、第１の搬送路２１０、第２の搬送路２２０、第３の搬送路２３０の間に配設される。第２の振分部４２０は、第２の搬送路２２０と第４の搬送路２４０との間の交差する部分に配設される。また、第２の振分部４２０は、第２の搬送路２２０と第６の搬送路２６０との間の部分に配設されるということもできる。すなわち、第２の振分部４２０は、第２の搬送路２２０、第４の搬送路２４０、第６の搬送路２６０の間に配設される。第３の振分部４３０は、第７の搬送路２７０が第６の搬送路２６０から分岐する部分に配設されている。言い換えれば、第３の振分部４３０は、第６の搬送路２６０と第７の搬送路２７０との間の部分に配設されている。また、第１の振分部４１０、第２の振分部４２０、第３の振分部４３０は、カード２の種類、あるいは処理の種類に応じて搬送経路を切り換えるように、制御部１６０により動作を制御されている。また、第１の振分部４１０は、次の図２で説明するように下側振分爪４１１、上側振分爪４１２を含んで構成されている。
【００３５】
図２は、本発明の実施の形態に係るカード処理装置１の第１の振分部４１０の構成を説明するための図であり、（ａ）は平面図、（ｂ）は下側振分爪４１１と上側振分爪４１２とを分解した状態の斜視図、（ｃ）は下側振分爪４１１と上側振分爪４１２とが合体した状態の斜視図である。図２（ａ）に示すように、第１の振分部４１０は、カード２を第１の搬送路２１０（図１参照）から第２の搬送路２２０（図１参照）に受け渡す際に、当該受け渡しの角度を規制する第１の搬送補助部材としての下側振分爪４１１と、カード２を第２の搬送路２２０（図１参照）から第１の搬送路２１０（図１参照）に受け渡す際に、当該受け渡しの角度を規制する第２の搬送補助部材としての上側振分爪４１２とを含んで構成される。
【００３６】
下側振分爪４１１は、図２（ｂ）に示すように、角が面取りされた形状あるいは曲面形状に仕上げられた略三角柱状に形成される。下側振分爪４１１には、軸方向に対して垂直な方向に２つのスリット状の切り込み４１１ａ、４１１ｂが形成されている。切り込み４１１ａ、４１１ｂは、当該切り込み４１１ａ、４１１ｂから略三角形である断面形状の大部分が露出する程度の深さに形成されている。当該切り込み４１１ａ、４１１ｂによって分割される３つの略三角柱状の部分４１１ｃ、４１１ｄ、４１１ｅは、略三角形の１つの角を円柱状の部分４１１ｆによって串刺しされるようにして一体となっている。下側振分爪４１１は、樹脂製の材料等によって略三角柱状の部分４１１ｃ、４１１ｄ、４１１ｅ、円柱状の部分４１１ｆが一体のパーツとして形成される。言い換えれば、下側振分爪４１１は、略三角柱状の部分４１１ｃ、４１１ｄ、４１１ｅが一体となって、全体として略三角柱状に形成されるということもできる。下側振分爪４１１は、振分爪駆動手段（例えば、ソレノイド）によって円柱状の部分４１１ｆを中心として回動するように構成される。本実施の形態では、カード２を振り分ける際には、各略三角柱状の部分４１１ｃ、４１１ｄ、４１１ｅにおける略三角形状の最大辺となる面は、カード２が摺動する摺動面４１１’として機能する。
【００３７】
上側振分爪４１２は、図２（ｂ）に示すように、鋭角に形成された角４１２ａ’’とカード２が摺動する摺動面４１２ａ’を有する突部４１２ａと、同様に角４１２ｂ’’、摺動面４１２ｂ’を有する突部４１２ｂとを含んで構成される。突部４１２ａ、突部４１２ｂは、角４１２ａ’’、角４１２ｂ’’の反対側を円柱状の部分４１２ｆによって串刺しされるようにして一体となっている。上側振分爪４１２は、樹脂製の材料等によって突部４１２ａ、突部４１２ｂ、円柱状の部分４１２ｆが一体のパーツとして形成される。上側振分爪４１２は、振分爪駆動手段（例えば、ソレノイド）によって円柱状の部分４１２ｆを中心として回動するように構成される。なお、以下の説明では、突部４１２ａの摺動面４１２ａ’、突部４１２ｂの摺動面４１２ｂ’を特に分けて説明する必要ない場合は単に摺動面４１２’という。
【００３８】
第１の振分部４１０は、図２（ｃ）に示すように、下側振分爪４１１と上側振分爪４１２とが入れ子状となるように形成される。言い換えれば、下側振分爪４１１と上側振分爪４１２とはかみこみの関係にある。すなわち、第１の振分部４１０は、上側振分爪４１２の突部４１２ａ、突部４１２ｂがそれぞれ下側振分爪４１１の切り込み４１１ａ、４１１ｂに挿入されるように形成される。これにより、第１の振分部４１０全体をを小さくすることができる。第１の振分部４１０は、下側振分爪４１１と上側振分爪４１２とがかみこんだ状態で、摺動面４１２’が摺動面４１１’よりも下方となるように形成される。すなわち、下側振分爪４１１と上側振分爪４１２とがかみこんだ状態で、摺動面４１２’は、摺動面４１１’に対して窪んだ奥部となる。
【００３９】
下側振分爪４１１と上側振分爪４１２とがかみこんだ状態から、上側振分爪４１２は摺動面４１２’が鉛直方向に対して上向きに移動するように回動し、下側振分爪４１１は摺動面４１１’が鉛直方向に対して下向きに移動するように回動するよう制御部１６０によって振分爪駆動手段（例えば、ソレノイド）の駆動を制御されている。
【００４０】
図３は、本発明の実施の形態に係るカード処理装置１の第１の振分部４１０の動作を説明するための図であり、（ａ）は、カード２を第１の搬送路２１０から第２の搬送路２２０に受け渡す際の第１の振分部４１０を示す模式的側面図、（ｂ）は、カード２を第２の搬送路２２０から第１の搬送路２１０（図１参照）に受け渡す際の第１の振分部４１０を示す模式的側面図である。なお、本図中二点鎖線はカード２の搬送経路を示す。
【００４１】
第１の振分部４１０は、上述したように、第１の搬送路２１０、第２の搬送路２２０、第３の搬送路２３０の間に、摺動面４１１’、摺動面４１２’が第１の搬送路２１０側を向き、円柱状の部分４１１ｆ、４１２ｆが略水平となるように配設される。第１の搬送路２１０は、カード２を案内する上搬送ベルト２１１と、上搬送ベルト２１１に対向する下搬送ベルト２１２とを有し、カード２を上搬送ベルト２１１と下搬送ベルト２１２との間に挟持して搬送するように構成される。上搬送ベルト２１１は、挿入部２０（図１参照）側に配設されるプーリ（不図示）と、当該プーリ（不図示）に対して水平方向に配設されるプーリ２１１ａに張架される。同様に、下搬送ベルト２１２は、プーリ（不図示）と、プーリ２１２ａに張架される。同様に第２の搬送路２２０は、プーリ２２１ａ、プーリ２２１ｂに張架される上搬送ベルト２２１とプーリ２２２ａ、プーリ２２２ｂに張架される下搬送ベルト２２２を含んで構成され、第３の搬送路２３０は、プーリ２３１ａ、プーリ２３１（不図示）に張架される上搬送ベルト２３１とプーリ２３２ａ、プーリ２３２（不図示）に張架される下搬送ベルト２３２を含んで構成される。
【００４２】
ここで、第１の振分部４１０は、エドモンソン券、大型券、ＰＥＴ券とＩＣカードを振り分けるように構成、制御される。具体的には、挿入部２０に挿入されたカード２がエドモンソン券、大型券、ＰＥＴ券の場合には、図３（ａ）に示すように、第１の振分部４１０は、制御部１６０（図１参照）の信号により下側振分爪４１１と上側振分爪４１２とがかみこんだ状態（これを通常の状態とする）となるように制御され、カード２の第３の搬送路２３０への進入を遮断し、カード２を第２の搬送路２２０に搬送可能にする。第１の搬送路２１０から第２の搬送路２２０に進入するカード２は、下側振分爪４１１の摺動面４１１’上を摺動して進入角度を規制されながら第２の搬送路２２０に受け渡される。これによりカード２の第２の搬送路２２０への進入角度が緩やかな角度、すなわち、より０度に近い角度、例えば、４０度から７０度程度、好ましくは６０度に近い角度、本実施の形態では５０度程度の角度となりカード２が第１の振分部４１０で折れ曲がってしまうことが無くなる。
【００４３】
挿入部２０に挿入されたカード２がＩＣカードの場合には、図３（ｂ）に示すように、制御部１６０（図１参照）の信号により上側振分爪４１２は摺動面４１２’が鉛直方向に対して上向きに移動するように回動し、下側振分爪４１１は摺動面４１１’が鉛直方向に対して下向きに移動するように回動して、カード２の第２の搬送路２２０への進入を遮断し、カード２を第３の搬送路２３０に搬送可能にする。すなわち、カード２を第１の搬送路２１０から第３の搬送路２３０に受け渡す際には、カード２は上側振分爪４１２と下側振分爪４１１との間を通って、摺動面４１１’上を摺動して受け渡される。
【００４４】
さらに、後述するように、カード２がカード処理装置１内で処理されて、再び挿入部２０（図１参照）に搬送され、返却される際にも、第１の振分部４１０は、制御部１６０（図１参照）の信号により上側振分爪４１２は摺動面４１２’が鉛直方向に対して上向きに移動するように回動し、下側振分爪４１１は摺動面４１１’が鉛直方向に対して下向きに移動するように回動する。第２の搬送路２２０から第１の搬送路２１０に進入するカード２は、上側振分爪４１２の摺動面４１２’上を摺動して進入角度を規制されながら第１の搬送路２１０に受け渡される。ここで、上側振分爪４１２の摺動面４１２’は、下側振分爪４１１と上側振分爪４１２とがかみこんだ状態での下側振分爪４１１の摺動面４１１’の位置よりも、鉛直方向上側にせり出してくることになる。これによりカード２の第１の搬送路２１０への進入角度が緩やかな角度、すなわち、より０度に近い角度、例えば、３０度から４０度程度、本実施の形態では３５度程度の角度となりカード２が第１の振分部４１０で折れ曲がってしまうことが無くなる。また、第３の搬送路２３０から第１の搬送路２１０に進入するカード２は、前述と同様に上側振分爪４１２と下側振分爪４１１との間を通って、摺動面４１１’上を摺動して受け渡される。なお、剛性を有する硬いカード２は直線的に搬送され、弾性を有する柔らかなカード２は、搬送方向に適した角度に調整可能な摺動面４１１’に案内される。このようにしてカード２の折れ曲がり防止が可能となる。
【００４５】
なお、本実施の形態では、エドモンソン券、大型券、ＰＥＴ券とＩＣカードを振り分ける上側振分爪４１２、下側振分爪４１１が、急角度に交差する第１の搬送路２１０と第２の搬送路２２０との間でのカード２の受け渡しの角度を緩やかな角度に規制する部材としても機能する構成とすることで、カード２を振り分ける部分と、カード２の搬送方向を急角度に変更する部分とを一致させることができ、カード処理装置１を小型化することができる。また、これにより、カード処理装置１内の各部のレイアウトを空間効率のよいレイアウトにすることができる。
【００４６】
また、ＰＥＴ券、ＩＣカードが挿入部２０（図１参照）に搬送され、返却される際は、ＰＥＴ券、ＩＣカードは、挿入部２０（図１参照）と第１の振分部４１０との間に配設される後述するストッパー部１３０、集積部１４０に一旦集積されてから一括して送出される。ここで、ストッパー部１３０、集積部１４０に集積されるカード２の一部が、第３の搬送路２３０への搬送経路が開放状態にある下側振分爪４１１と上側振分爪４１２との間に位置することができるのでストッパー部１３０、集積部１４０を第１の振分部４１０に近接して配設することができる。これによりカード処理装置１をよりコンパクトな構成とすることができる。また、処理されたＩＣカード、ＰＥＴ券の両カードをストッパー部１３０、集積部１４０に集積する際には、カードの種類に応じて第１の振分部４１０を駆動することなく集積することができるので、迅速にカード２を返却する処理を行うことができる。なお、ストッパー部１３０、集積部１４０については、後述で詳細に説明する。
【００４７】
再び、図１に戻って、第２の振分部４２０は、エドモンソン券、大型券、後述するようにＰＥＴ券が連続して４枚挿入された際の４枚目のＰＥＴ券とＰＥＴ券が連続して４枚挿入された際の４枚目のＰＥＴ券以外のＰＥＴ券とを振り分けるように構成、制御される。第２の振分部４２０は、典型的には、第２の搬送路２２０によって搬送されるカード２がエドモンソン券、大型券、ＰＥＴ券が連続して４枚挿入された際の４枚目のＰＥＴ券の場合には、制御部１６０の信号により振分爪が第４の搬送路２４０への進入を遮断するように第４の搬送路２４０側に回動し、カード２を第６の搬送路２６０方向に搬送可能にする。さらに、第２の振分部４２０は、カード２がＰＥＴ券が連続して４枚挿入された際の４枚目のＰＥＴ券以外のＰＥＴ券の場合には、制御部１６０の信号により振分爪が第６の搬送路２６０への進入を遮断するように第６の搬送路２６０側に回動してカード２を第４の搬送路２４０方向に搬送可能にする。なお、エドモンソン券、大型券、ＰＥＴ券が連続して４枚挿入された際の４枚目のＰＥＴ券を第６の搬送路２６０から第２の搬送路２２０に搬送する際、ＰＥＴ券が連続して４枚挿入された際の４枚目のＰＥＴ券以外のＰＥＴ券を第４の搬送路２４０から第２の搬送路２２０に搬送する際もほぼ同様である。
【００４８】
第３の振分部４３０は、エドモンソン券、大型券を回数券パンチ部８０で処理するものとしないものとに振り分けるように構成、制御される。第３の振分部４３０は、典型的には、第６の搬送路２６０によって廃券回収部９０側から第２の搬送路２２０の方向に搬送されるカード２が回数券パンチ部８０で処理するものである場合には、制御部１６０の信号により振分爪が第６の搬送路２６０を遮断するように第６の搬送路２６０側に回動し、カード２を第７の搬送路２７０方向に搬送可能にする。さらに、第２の振分部４２０は、カード２が回数券パンチ部８０で処理するものでない場合には、制御部１６０の信号により振分爪が第７の搬送路２７０への進入を遮断するように第７の搬送路２７０側に回動してカード２を第６の搬送路２６０上で搬送可能にする。
【００４９】
なお、第２の振分部４２０、第３の振分部４３０の各振分爪は、第１の振分部４１０と同様に複数の部材によって構成してもよいが、ここでは、搬送方向が急角度で変更されるわけではないので、従来から用いられているような１部品で構成される振分爪を用いる。
【００５０】
次に、挿入部２０は、利用者からのカード２の挿入を受け付けるものであり、例えば前記接客部からのカード２の挿入ガイドとなる挿入口２０ａと、挿入されたカード２の種類を識別する識別部としてのカード検知器２０ｂを有している。挿入口２０ａは、４種類のカード２、すなわち、エドモンソン券、大型券、ＰＥＴ券、ＩＣカードを挿入することができる幅に形成されている。エドモンソン券、大型券、ＰＥＴ券、ＩＣカードを挿入することができる幅とは、例えば、ＰＥＴ券又は大型券の横幅（約５７．５ｍｍ）よりもやや大きい幅である。カード検知器２０ｂは、例えば、複数のフォトセンサ等を用い、典型的には、挿入されたカード２の枚数の検出も行なえるように構成されている。カード検知器２０ｂは、挿入されたカード２の種類、枚数に関する信号を制御部１６０に送信するように構成される。さらに、挿入部２０は、利用者からのカード２の挿入を受け付けるだけでなく、例えば挿入を受け付けたカード２を送出（返却）できるものである。言い換えれば、カード処理装置１内にあるカード２を挿入口２０ａから外部（利用者）へ送出できるものである。挿入部２０の下流側には整列部３０が配設されている。なお、下流側とは、挿入部２０に挿入されたカード２を装置内に取り込む方向である。
【００５１】
整列部３０は、挿入部２０から挿入されたカード２の幅寄せ（片寄せ）を行なうように構成される。整列部３０は、上述した第１の搬送路２１０と、板状に形成され、第１の搬送路２１０に沿うように、かつ、第１の搬送路２１０のカード２を挟持する面に対して略垂直となるように配設される基準ガイド面と、偏心して回転し、当該第１の搬送路２１０を挟んで基準ガイド面とは反対側に配設される偏心回転ローラを備える。整列部３０は、挿入されたカード２を基準ガイド面に沿って長手方向が搬送方向と略平行となるように整列する。ここで、整列部３０は、カード検知器２０ｂによって識別されたカード２の種類に応じて適宜偏心回転ローラの位置を移動させるソレノイド等も備える。例えば、挿入されたカード２がエドモンソン券である場合、制御部１６０は偏心回転ローラを退避させず、これにより、例えば、エドモンソン券が搬送方向に対して長辺方向が垂直となるように横向きに挿入された場合でも、偏心回転ローラと接触しながら、基準ガイド面側に押し出されるようにして基準ガイド面に沿って搬送、整列される。
【００５２】
エンコード部５０は、上述したように第２の搬送路２２０の搬送経路上に配設されている。エンコード部５０は、第２の搬送路２２０の搬送により搬送されるカード２に磁気情報処理を行うものである。磁気情報処理とは、カード２、典型的にはエドモンソン券、大型券の磁気情報の読み込み、ＰＥＴ券の磁気情報の読み込み・書き込み等を行う処理である。エンコード部５０は、カード２に磁気情報の読み込み・書き込み行なえる磁気ヘッドを有している。磁気情報は、カード２の残金を含む情報を含んでいる。また、エンコード部５０は、後述のパンチ情報を読み取ることができるように構成されている。
【００５３】
カードパンチ部６０は、上述したように第４の搬送路２４０の搬送経路上に配設されている。カードパンチ部６０は、第４の搬送路２４０により搬送されるカード２、典型的には、ＰＥＴ券であるプリペードカードに第１の穿孔処理を行なうものである。第１の穿孔処理とは、カードにカード情報としてのパンチ情報を記録する処理、例えばプリペードカードの残金の情報を示す孔をプリペードカードに設ける処理である。なお、この孔により示されるプリペードカードの残金の情報は、カードの利用目安となる所定の位置に行なわれる。カードパンチ部６０は、プリペードカードに穿孔するパンチ機構と、搬送されるプリペードカードを検知する検知器を有している。パンチ機構は、プリペードカードに穿孔する穿孔ピンを有している。穿孔ピンは、鋭利な先端を有し、ソレノイドの駆動によりプリペードカードに穿孔できる。
【００５４】
印字部７０は、上述したように第４の搬送路２４０の搬送経路上、カードパンチ部６０の下流側に配設されている。印字部７０は、第４の搬送路２４０により搬送されるカード２、典型的には、ＰＥＴ券であるプリペードカードに印字処理を行なうものである。印字処理とは、プリペードカードに利用情報を記録する処理、例えばプリペードカードの残金の情報を示す印字を行なう処理である。印字部７０は、プリペードカードへの印字を行なうサーマルヘッドを有している。
【００５５】
回数券パンチ部８０は、上述したように第７の搬送路２７０の搬送経路上、第３の振分部４３０と後述の第７の保留部３７０との間に配設されている。回数券パンチ部８０は、第７の搬送路２７０により搬送されるカード２、典型的には、ここではエドモンソン券である回数券に第２の穿孔処理を行なうものである。第２の穿孔処理とは、回数券に再度使用できないように孔を設ける処理である。回数券パンチ部８０は、カードパンチ部６０とほぼ同様な構成をしているので、ここでは説明を省略する。
【００５６】
廃券回収部９０は、上述したように第６の搬送路２６０の第２の搬送路２２０とは反対側の端部に配設されている。廃券回収部９０は、第６の搬送路２６０により搬送され、廃券処理されるエドモンソン券、大型券を回収、保管するものであり、エドモンソン券、大型券を収納する収納受皿を有している。廃券処理とは、例えばエンコード部５０による磁気情報処理を終えたエドモンソン券である乗車券、大型券、回数券パンチ部８０による第２の穿孔処理が施されたエドモンソン券である回数券を廃棄する処理である。
【００５７】
アンテナ部１１０は、上述したように第３の搬送路２３０の第１の搬送路２１０とは反対側の端部に配設されている。アンテナ部１１０は、挿入されたＩＣカードのメモリに記憶されているカード情報の読み込み、書き込み等のカード情報に関する各種処理を行う。カード情報は、例えば金銭決済情報、残高金額やカードＩＤ番号等の情報を含んでいる。残高金額は、ＩＣカードに入金（積み増し）されている金額から利用した金額（精算した金額）を差し引いた金額である。カード情報は、例えばビット列で記録され、電磁波を用いて非接触で読み出し又は書き込みできるものである。アンテナ部１１０は、ＩＣカードとの間で電磁波を送受信する機能を有し、さらに、カードリーダライタを備える。当該カードリーダライタは、ＩＣカードに書き込まれたカード情報を読み込んだり、書き換えたりするもので、例えば所定周波数帯域の電磁波をカード情報の授受に用いる。なお、本実施の形態のように、アンテナ部１１０を挿入部２０から水平に移動した部分に配設すると、剛性を有するＩＣカードが搬送される際に曲がったりすることがないので破損してしまうことがない。
【００５８】
集積部１４０は、第１の搬送路２１０の搬送経路上、整列部３０と第１の振分部４１０との間に配設されている。集積部１４０は、板金等を略Ｌ字型に曲げて形成されたストッパー部１３０と協動して、各処理を施され、第１の搬送路２１０により挿入部２０に向かって搬送さるＰＥＴ券、ＩＣカードを集積するものである。集積部１４０に集積されたＰＥＴ券、ＩＣカードは、一括して挿入口２０ａに搬送される。ただし、利用者が取り消しボタンを押して、カード処理装置１による処理をキャンセルした場合は、ＰＥＴ券、ＩＣカードは集積せずに一枚ずつ挿入口２０ａに搬送される。ストッパー部１３０は、略Ｌ字型の短辺が第１の搬送路２１０の搬送経路と略垂直に交わるように配設される（図３参照）。ストッパー部１３０は、通常では略Ｌ字型の短辺の先端が第１の搬送路２１０の搬送経路よりも下方に退避しており、集積部１４０にＰＥＴ券、ＩＣカードを集積する際に、ソレノイドによって駆動されて当該先端が搬送経路の上側に突出し、略Ｌ字型の短辺にＰＥＴ券、ＩＣカードを当接させて一時保留する。
【００５９】
取忘回収部１５０は、第３の搬送路２３０の搬送経路上、第１の振分部４１０とアンテナ部１１０との間、典型的には、第１の振分部４１０の直下流に配設されている。取忘回収部１５０は、挿入部２０で取り忘れられたカード２を回収するもので、カード２を収納する収納受皿を有している。
【００６０】
保留部３００は、搬送装置２００の搬送経路上にあるカード２を一時保留するものである。保留部３００は、カード２の保留状態を、外から目視可能な構成となっている。また、挿入部２０よりカード２が複数枚挿入されたときの退避エリアでもある。本実施の形態では、保留部３００は、第５の搬送路２５０の搬送経路上の第４の搬送路２４０とは反対側に配設される第１の保留部３１０、第５の搬送路２５０の搬送経路上の第４の搬送路２４０と第１の保留部３１０との間に配設される第２の保留部３２０、第４の搬送路２４０の搬送経路上の印字部７０と第５の搬送路２５０との間に配設される第３の保留部３３０、第６の搬送路２６０の搬送経路上、廃券回収部９０と第３の振分部４３との間の略垂直な部分に配設される第４の保留部３４０、第６の搬送路２６０の搬送経路上の第３の振分部４３近傍に配設される第５の保留部３５０、第７の搬送路２７０の搬送経路上の第３の振分部４３と回数券パンチ部８０との間に配設される第６の保留部３６０、第７の搬送路２７０の搬送経路上の第６の搬送路２６０とは反対側に配設される第７の保留部３７０、第３の搬送路２３０の搬送経路上のアンテナ部１１０が設置されている部分に配設される第８の保留部３８０、第３の搬送路２３０の搬送経路上の第１の搬送路２１０とは反対側に配設される第９の保留部３９０を含んで構成される。なお、これらの保留部を特に分けて説明する必要のない場合には単に保留部３００という。
【００６１】
典型的には、第１の保留部３１０、第２の保留部３２０、第３の保留部３３０は、ＰＥＴ券を保留し、第４の保留部３４０、第５の保留部３５０、第６の保留部３６０、第７の保留部３７０は、エドモンソン券、大型券を保留し、第８の保留部３８０、第９の保留部３９０は、ＩＣカードを保留する。また、複数のＰＥＴ券が挿入された際には、１枚目は第１の保留部３１０、２枚目は第２の保留部３２０、３枚目のは第３の保留部３３０というように順に保留される。複数のエドモンソン券、大型券が挿入された際には、１枚目は第４の保留部３４０、２枚目は第５の保留部３５０に保留され、３枚目が挿入されると、第５の保留部３５０に保留されている２枚目のエドモンソン券又は大型券が第６の保留部３６０に搬送、保留され、第５の保留部３５０に３枚目のエドモンソン券又は大型券が保留される。また、第７の保留部３７０には、１枚目に乗車券、２枚目に第１の回数券が挿入され、さらに３枚目に第２の回数券が挿入された際に、第１の回数券が一時的に保留される。また、複数のＩＣカードが挿入された際には、１枚目は第８の保留部３８０に保留され、２枚目が挿入されると、第８の保留部３８０に保留されている１枚目のＩＣカードが第９の保留部３９０に搬送、保留され、第８の保留部３８０に２枚目のＩＣカードが保留される。なお、第５の保留部３５０には、ＰＥＴ券が連続して４枚挿入された際に４枚目のＰＥＴ券が保留されることがある。
【００６２】
保留部３００は、ストッパー部１３０とほぼ同様の板金等を略Ｌ字型に曲げ加工して形成されたストッパーを有し、カード２を当該ストッパーに当接させて一時的に保留するが、これに限らず、ピンチローラを用いたり、各搬送路からカード２を引き離すようにして保留する構成としてもよい。また、例えば、各保留部が配設される搬送路を、さらに複数の部分的な搬送路に分割して、分割した搬送路の内の１つの搬送路の駆動源を他の搬送路から独立した駆動源とし、当該搬送路の駆動のみを停止することでカード２を保留するように構成してもよい。
【００６３】
制御部１６０は、カード検知器２０ｂから送信されるカード２の種類に関する信号に基づいて、第１の振分部４１０、第２の振分部４２０、第３の振分部４３０等の駆動を制御する。さらに、制御部１６０は、カード処理装置１内での各種信号、情報（上述したカード情報、パンチ情報、利用情報、印刷情報、磁気情報等）の入出力を行いカード処理装置１の各部の動作を制御するように構成されており、ここでは、電源装置と一体に構成されている。制御部１６０は、例えばパソコンやマイコンなどのコンピュータであり、カード処理装置１の内部にあってもよいし、外部にあってもよい。また、制御部１６０は、上位装置、例えば自動精算機等との信号、情報の入出力を行い、精算、販売（発券）等の処理に応じてカード処理装置１の各部の動作を制御する。
【００６４】
次に、図１を参照してカード処理装置１の動作について説明する。まず、カード処理装置１は、挿入部２０の挿入口２０ａより挿入されるカード２を受け付け取り込み、カード検知器２０ｂによりカード２の種類を識別し、整列部３０で整列する。識別の結果、挿入されたカード２がエドモンソン券、大型券、ＰＥＴ券の場合は、カード処理装置１は、第１の振分部４１０を駆動せずに、下側振分爪４１１と上側振分爪４１２とがかみこんだ状態、すなわち通常状態（図３（ａ）で示した状態）のままでカード２を第２の搬送路２２０に導入し、エンコード部５０へ搬送する。さらに、カード処理装置１は、エンコード部５０でエドモンソン券の磁気情報を読み取り、カード２は保留部３００のいずれかで保留される。
【００６５】
識別の結果、挿入されたカード２がＩＣカードの場合は、カード処理装置１は、制御部１６０の制御により第１の振分部４１０を駆動し、上側振分爪４１２（図３参照）を摺動面４１２’（図３参照）が鉛直方向に対して上向きに移動するように回動し、下側振分爪４１１（図３参照）を摺動面４１１’（図３参照）が鉛直方向に対して下向きに移動するように回動し、第１の振分部４１０を開放状態（図３（ｂ）で示した状態）とする。さらに、カード処理装置１は、カード２を第３の搬送路２３０に導入し、アンテナ部１１０へ搬送する。カード処理装置１は、アンテナ部１１０でＩＣカードのカード情報を読み取り、ＩＣカードはそのまま第８の保留部３８０で保留される。その後２枚目のＩＣカードが挿入されると、１枚目のＩＣカードは第９の保留部３９０に搬送され、そこで保留される。２枚目のＩＣカードは、第８の保留部３８０で保留される。
【００６６】
それぞれの処理が終わると、カード処理装置１は、制御部１６０の制御により第１の振分部４１０を駆動し、開放状態（図３（ｂ）で示した状態）とする（もともと開放状態であれば開放状態を継続する）。さらに、エドモンソン券と大型券は廃券回収部９０に搬送され回収、保管される。このときエドモンソン券が回数券である場合、当該回数券は、回数券パンチ部８０で第２の穿孔処理が行われ廃券回収部９０に搬送される。ＰＥＴ券であるプリペイドカードは、印字部７０で印字処理が行われ、カードパンチ部６０で第１の穿孔処理が行なわれ、集積部１４０へ搬送される。ＰＥＴ券である定期券は、印字処理、第１の穿孔処理を省略して集積部１４０へ搬送される。ＩＣカードはアンテナ部１１０でカード情報の書き込みが行われ集積部１４０へ集められる。集積部１４０に集積されたカード２は、一括して挿入部２０の挿入口２０ａに搬送され、排出される。その後、本カード処理装置１が、例えば自動精算機に内蔵されているのであれば、自動精算機に組み込まれている券発券装置等から精算済みであることを示す券が発券される。
【００６７】
以上で説明した本発明の実施の形態に係るカード処理装置１によれば、急角度に交差する第１の搬送路２１０と第２の搬送路２２０との間でのカード２の受け渡しの角度を緩やかな角度に規制する上側振分爪４１２、下側振分爪４１１によって、カード２の第１の搬送路２１０への進入角度、あるいは第２の搬送路２２０への進入角度が緩やかな角度となりカード２が折れ曲がってしまうことが無くなる。したがって、カード２の搬送方向を急な角度で変更しても確実に処理することができるカード処理装置１を提供することができ、さらに、カード２の搬送経路のレイアウトをコンパクトなものにし、処理するカード２の種類の増加に対応しつつ装置の大型化を避けることができる。
【００６８】
さらに、第１の振分部４１０は、上側振分爪４１２と、下側振分爪４１１とが入れ子状に形成されることで比較的省スペースな構成とすることができる。さらに、上記受け渡しの角度を緩やかな角度に規制する部材である上側振分爪４１２、下側振分爪４１１とがエドモンソン券、大型券、ＰＥＴ券とＩＣカードを振り分ける部材としても機能することで、カード２を振り分ける部分と、カード２の搬送方向を急角度に変更する部分とを一致させることができ、カード処理装置１を小型化することができる。また、これにより、カード処理装置１内の各部のレイアウトを空間効率のよいレイアウトにすることができる。
【００６９】
さらに、ストッパー部１３０、集積部１４０に集積されるカード２の一部が、第３の搬送路２３０への搬送経路が開放状態にある下側振分爪４１１と上側振分爪４１２との間に位置することができるので、ストッパー部１３０、集積部１４０を第１の振分部４１０に近接して配設することができる。これによりカード処理装置１をよりコンパクトな構成とすることができる。また、処理されたＩＣカード、ＰＥＴ券の両カードをストッパー部１３０、集積部１４０に集積する際には、カードの種類に応じて第１の振分部４１０を駆動することなく集積することができるので、迅速にカード２を返却する処理を行うことができる。
【００７０】
なお、本発明の実施の形態であるカード処理装置１は、上述した実施の形態に限定されず、特許請求の範囲に記載された範囲で種々の変更が可能である。
【図面の簡単な説明】
【００７１】
【図１】本発明の実施の形態に係るカード処理装置の構成例を示す模式的断面図である。
【図２】本発明の実施の形態に係るカード処理装置の第１の振分部の構成を説明するための図である。
【図３】本発明の実施の形態に係るカード処理装置の第１の振分部の動作を説明するための図である。
【符号の説明】
【００７２】
１    カード処理装置
２    カード
２０    挿入部
２０ｂ    カード検知器
３０    整列部
５０    エンコード部
６０    カードパンチ部
７０    印字部
８０    回数券パンチ部
９０    廃券回収部
１１０    アンテナ部
１３０    ストッパー部
１４０    集積部
１５０    取忘回収部
１６０    制御部
２００    搬送装置
２１０    第１の搬送路
２２０    第２の搬送路
２３０    第３の搬送路
３００    保留部
４１０  第１の振分部
４１１  下側振分爪
４１１’、４１２’、４１２ａ’、４１２ｂ’  摺動面
４１２  上側振分爪
４２０  第２の振分部
４３０  第３の振分部
【図１】
2006103913.tif 000003
【図２】
2006103913.tif 000004
【図３】
2006103913.tif 000005